(57)【要約】      （修正有）【課題】簡単な構造と、作業状態の安定性を有するペーパーフィードメカニズムを提供する。【解決手段】ペーパーフィードメカニズムは、基台と、紙積載トレーと、最低一つのカムと、伝動部と、ピックアップモジュールと、紙制御台と、最低一つのバネを備える。紙積載トレーの前方端は基台上に枢着し、後方端には上向きに突出する圧止体を設け、伝動部とピックアップモジュールと紙制御台は何れも基台上に装着する。ピックアップモジュールは伝動部によって駆動され、両端を基台上に枢着する駆動軸を備え、紙制御台と紙積載トレーの後方端の間には紙走行路を形成する。カムは駆動軸上に嵌設し、回転可能状態で紙積載トレーの圧止体を圧する。紙積載トレーと基台の間に装着するバネは、紙積載トレー後方端を基台上で持ち上げる。【選択図】図３
0003160365.tif 000002
【実用新案登録請求の範囲】
【請求項１】
基台と、
基台上に装着する伝動部と、
基台上に装着し、伝動部によって駆動され、両端を基台上に枢着する駆動軸を備えるピックアップモジュールと、
前方端を基台上に枢着し、後方端には上方向に突出する圧止体を設ける紙積載トレーと、
基台上に装着し、しかも紙積載トレーの後方端との間に紙走行路を形成する紙制御台と、
紙積載トレーと基台の間に装着し、紙積載トレーの後方端を基台上に持ち上げる最低一つのバネと、
駆動軸上に嵌設、回転可能状態で紙積載トレーの圧止体を圧する最低一つのカムとにより構成されるペーパーフィードメカニズム。
【請求項２】
請求項１記載のペーパーフィードメカニズムにおいて、前方端ピックアップモジュールは駆動軸の中程に嵌設することを特徴とするペーパーフィードメカニズム。
【請求項３】
請求項１記載のペーパーフィードメカニズムにおいて、前記紙積載トレーの前方端には突出する枢軸を形成し、圧止体の下表面には上方向の内設溝を設け、基台の前方端には枢着孔を設け、基台のほぼ中程には上方向に突出する上部片を設け、枢軸は枢着孔内に装着し、上部片は内設溝内に延伸し、前方端バネは内設溝内に収めることを特徴とするペーパーフィードメカニズム。
【請求項４】
請求項３記載のペーパーフィードメカニズムにおいて、前記内設溝底端の左右両側溝壁にはそれぞれ内側方向に突出する制御片を形成し、二つの制御片の間には隙間を残し、内設溝の後方側溝壁の下端と隙間に対応して上方向にスリットをあけ、前記上部片はスリットと二つの制御片間の隙間を貫通して内設溝内に延伸することを特徴とするペーパーフィードメカニズム。
【請求項５】
請求項１記載のペーパーフィードメカニズムにおいて、前記圧止体の上端にはローラーを枢着し、ローラーはカムと相互に圧することを特徴とするペーパーフィードメカニズム。
【考案の詳細な説明】
【技術分野】
【０００１】
本考案はペーパーフィードメカニズムに関し、特に紙積載トレーを移動することによりペーパー制御動作を行うペーパーフィードメカニズムに係る。
【背景技術】
【０００２】
図１及び図２に開示したピックアップメカニズム１００’は、伝送フレーム１０’と、伝動部と、ピックアップモジュールと、二つのペーパー制御部品３０’とを備える。伝動部と、ピックアップモジュールと、ペーパー制御部品３０’は何れも伝送フレーム１０’上に装着し、伝動部はピックアップモジュールを駆動して紙のピックアップ動作を完了する。伝送フレーム１０’には紙を載せるための積載台１１’を備え、積載台１１’にはほぼ中程に紙の伝送方向に沿って延伸する一対の凹溝１２’を設ける。ピックアップモジュールと積載台１１’間には紙走行路（未図示）を形成する。前記ピックアップモジュールにはピックアップ蓋２１’を備え、前記ピックアップ蓋２１’には二つの側壁２１１’を備え、側壁２１１’上端後方側には外方向に突出する停止制御体２１２’を形成し、もう一つの側壁２１１’には外側方向に延伸する筒状の回転締め部２１３’を形成する。前記伝動部には駆動軸４１’を備え、ピックアップモジュールはピックアップ蓋２１’を経て駆動軸４１’上に嵌設、しかも駆動軸４１’は回転締め部２１３’を貫通し、駆動軸４１’は回転締め部２１３’箇所で圧縮コイルバネ２３’を嵌設する。ペーパー制御部品３０’は環状の枢着部３１’を備え、枢着部３１’には、底端から下方向に延伸するペーパー制御部３２’を形成し、両側から上方向外方向に延伸する圧止部３３’を形成し、ペーパー制御部３２’の重量は圧止部３３’の重量以上であるため、重力の関係で、ペーパー制御部３２’は常に下方にあり、且つ凹溝１２’内で回転する。伝動部によってピックアップ蓋２１’の前方端が上に持ち上がる時、圧縮コイルバネ２３’とピックアップ蓋２１’の回転締め部２１３’間に摩擦力が生じ、摩擦力によってピックアップ蓋２１’前方端が上向きに持ち上がる定位を保持し、停止制御体２１２’とペーパー制御部品３０’の圧止部３３’は相互に上部を圧してペーパー制御部３２’を下垂させて、紙走行路を通過する紙を停止させる。
【０００３】
しかし、前記ピックアップメカニズム１００’において、ペーパー制御部３２’は自然に下垂して紙を停止させるのであるが、操作者が紙を入れる力が大きい場合、紙は即刻、ペーパー制御部品３０’をプッシュするため回転し紙走行路を通過し、しかも、ペーパー制御部品３０’が回転するとペーパー制御部品３０’の圧止部３３’は停止制御体２１２’から離脱するため、ピックアップ蓋２１’の前方端が下にスライドし易くなり、よって、構造は複雑で不安定である。
【考案の概要】
【考案が解決しようとする課題】
【０００４】
本考案の目的は、前述の技術に見られる不足点を克服し、構造が簡単で、作業状態の安定したペーパーフィードメカニズムを提供することにある。
【課題を解決するための手段】
【０００５】
前述目的を達成する為に、本考案の提供するペーパーフィードメカニズムは、基台と、紙積載トレーと、最低一つのカムと、伝動部と、ピックアップモジュールと、紙制御台と、最低一つのバネを備える。前記紙積載トレーの前方端は基台上に枢着し、後方端には上向きに突出する圧止体を設け、伝動部とピックアップモジュールと紙制御台は何れも基台上に装着する。前記ピックアップモジュールは伝動部によって駆動し、前記伝動部は、両端を基台上に枢着する駆動軸を備え、紙制御台と紙積載トレーの後方端の間には紙走行路を形成する。カムは駆動軸上に嵌設、しかもカムは回転可能状態で紙積載トレーの圧止体を圧する。紙積載トレーと基台の間に装着するバネは、紙積載トレー後方端を基台上で持ち上げる役割をする。
【考案の効果】
【０００６】
本考案のペーパーフィードメカニズムはバネが紙積載トレーの後方端を圧して紙制御台の下表面と相互に圧するまで持ち上げて紙走行路を密閉すると、紙の通過が不可能となり、しかもバネの弾力によって圧止体の上方向にカムを圧する力を保持してピックアップモジュール前方端が落下するのを防ぎ、カムがピックアップモジュールに従って同時に回転し、並びに、圧止体を圧して下方向に移動することにより、バネを圧縮させ、紙積載トレー後方端が下方向に移動して紙制御台の下表面を離脱すると、紙は順調に紙走行路を通過する。以上の通り、簡単な構造で作業状態を安定させる効果を持つ。
【図面の簡単な説明】
【０００７】
【図１】公知のペーパーフィードメカニズムの立体組立図である。
【図２】図１に示すペーパーフィードメカニズムのピックアップ蓋２１’の立体図である。
【図３】本考案のペーパーフィードメカニズムの実施例に関する立体図である。
【図４】図３に示すペーパーフィードメカニズムの立体分解図である。
【図５】図３に示すペーパーフィードメカニズムの圧止体に関する立体図である。
【図６】図３に示すペーパーフィードメカニズムの紙制御モジュールが紙を停止させた状態の側面図である。
【図７】図３に示すペーパーフィードメカニズムのフィード状態の側面図である。
【考案を実施するための形態】
【０００８】
本考案の技術内容、構造特徴、達成する目的、及び効果を明らかにする為に、次に実施例を挙げ図面を参照しながら詳細説明を行う。
【０００９】
図３、図４、及び図７に示す通り、本考案のペーパーフィードメカニズム１００は主に、基台１０と、紙積載トレー２０と、最低一つのカム３０と、伝動部４０と、ピックアップモジュール５０と、紙制御台６０と、最低一つのバネ７０を備える。前記紙積載トレー２０の前方端は基台１０上に枢着し、後方端には上向きに突出する圧止体２１を設け、伝動部４０とピックアップモジュール５０と紙制御台６０は何れも基台１０上に装着する。前記ピックアップモジュール５０は伝動部４０によって駆動し、前記伝動部４０は、両端を基台１０上に枢着する駆動軸４１を備え、紙制御台６０と紙積載トレー２０の後方端の間には紙走行路８０を形成する。カム３０は駆動軸４１上に嵌設、しかもカム３０は回転可能状態で紙積載トレー２０の圧止体２１を圧する。紙積載トレー２０と基台１０の間に装着するバネ７０は、紙積載トレー２０後方端を基台１０上で持ち上げる役割をする。
【００１０】
図３から図５に示す通り、基台１０の前方端の両側にはそれぞれ内側向きの枢着孔１１を設け、基台１０のほぼ中程の両側にはそれぞれ上方向に突出する上部片１２を設ける。紙を載せるための前記紙積載トレー２０の前方端の両側にはそれぞれ外側方向に突進する枢軸２２を形成し、紙積載トレー２０後方端の両側にはそれぞれ上方向に突出する前記圧止体２１を設け、圧止体２１の上端にはローラー２３を枢着し、圧止体２１の下表面上方向に内設溝２１１を設け、内設溝２１１内には前記バネ７０を入れる。内設溝２１１の底端の左右両側溝壁にはそれぞれ内側方向に突出する制御片２１２を形成して、バネ７０が内設溝２１１から離脱するのを防ぎ、二つの制御片２１２間には隙間を残す（未図示）。内設溝２１１後方側の溝壁下端には隙間に対応する上方向にスリット２１３をあける。紙積載トレー２０の枢軸２２は基台１０の枢着孔１１内に枢着し、上部片１２はスリット２１３と二つの制御片２１２間の隙間を貫通して内設溝２１１内に延伸し、これにより紙積載トレー２０を基台１０上に装着する。
【００１１】
伝動部４０はピックアップモジュール５０を駆動してピックアップ作業を完了させる。ピックアップモジュール５０は伝動部４０の駆動軸４１中程に嵌設する。紙制御台６０は基台１０上に装着し、位置はピックアップモジュール５０の後方端下方となる。二つのカム３０はそれぞれ駆動軸４１の両端に嵌設して圧止体２１に対応する。
【００１２】
図４乃至図６に示す通り、ペーパーフィードメカニズム１００が未動作である時、ピックアップモジュール５０の前方端は上に持ち上がった状態を保持し、バネ７０の下端が上部片１２を圧している為、紙積載トレー２０の後方端は枢軸２２を回転軸として上方向に最高位置まで回転する。よって、バネ７０の弾力作用の下、ローラー２３は上方向にカム３０を圧してピックアップモジュール５０の前方端が落下するのを防止し、紙積載トレー２０の後方端の上表面は紙制御台６０の下表面を圧する為、紙走行路８０を密閉し紙の通過を阻止する。
【００１３】
図４乃至図７に示す通り、ペーパーフィードメカニズム１００が紙をピックアップする時、伝動部４０により駆動されるピックアップモジュール５０の前方端は駆動軸４１の周りを回転し、それにより動かされるカム３０の回転の下、下方のローラー２３は圧せられ、これにより圧止体２１は下方向に移動し、バネ７０は収縮し、上部片１２はスリット２１３と二つの制御片２１２の間の隙間を通過して内設溝２１１内に収まり、紙積載トレー２０の後方端は下方に移動して紙制御台６０の下表面を離脱するため、紙は順調に紙走行路８０を通過する。ローラー２３の設置によってカム３０と圧止体２１上端の摩擦が少なくなるため摩損が減少する。
【００１４】
前述に示す通り、本考案のペーパーフィードメカニズム１００は、バネ７０によって圧せられる紙積載トレー２０の後方端が紙制御台６０の下表面と相互に圧する状態まで持ち上がり紙を停止させ、カム３０はピックアップモジュール５０に従い、カム３０によって圧せられるローラー２３が下方向に移動するまで回転し、これによりバネ７０は圧縮し、紙積載トレー２０の後方端は下方向に移動し紙制御台６０の下表面を離脱する為、紙は順調に通過する。よって、本考案のペーパーフィードメカニズム１００は、公知技術のピックアップ蓋２１’の停止制御体２１２’及びペーパー制御部品３０’と比較すると、構造は簡単で作業状態も安定している。
【符号の説明】
【００１５】
１００’     ピックアップメカニズム
１０’      伝送フレーム
１１’        積載台
１２’        凹溝
２１’        ピックアップ蓋
２１１’  側壁
２１２’      停止制御体
２１３’      回転締め部
２３’        圧縮コイルバネ
３０’        ペーパー制御部品
３１’        枢着部
３２’        ペーパー制御部
３３’        圧止部
４１’        駆動軸
１００      ペーパーフィードメカニズム
１０        基台
１１        枢着孔
１２        上部片
２０        紙積載トレー
２１        圧止体
２１１      内設溝
２１２      制御片
２１３      スリット
２２        枢軸
２３        ローラー
３０        カム
４０        伝動部
４１        駆動軸
５０        ピックアップモジュール
６０        紙制御台
７０        バネ
８０    紙走行路
【図１】
0003160365.tif 000003
【図２】
0003160365.tif 000004
【図３】
0003160365.tif 000005
【図４】
0003160365.tif 000006
【図５】
0003160365.tif 000007
【図６】
0003160365.tif 000008
【図７】
0003160365.tif 000009
【手続補正書】
【提出日】平成22年4月13日(2010.4.13)
【手続補正１】
【補正対象書類名】実用新案登録請求の範囲
【補正対象項目名】請求項３
【補正方法】変更
【補正の内容】
【請求項３】
請求項１記載のペーパーフィードメカニズムにおいて、前記紙積載トレーの前方端には突出する枢軸を形成し、圧止体の下表面には上方向の内設溝を設け、基台の前方端には枢着孔を設け、基台のほぼ中程には上方向に突出する上部片を設け、枢軸は枢着孔内に装着し、上部片は内設溝内に延伸し、前記バネは内設溝内に収めることを特徴とするペーパーフィードメカニズム。